(57)【要約】【課題】簡易な構成で車両の外表面に変化に富んだ意匠を表示することができる車体構造及び車両用の装飾部品を提供する。【解決手段】車両１の後方に面した傾斜面３ａと、傾斜面３ａに交差して上方に面した取付部５ａと、取付部５ａに設けられた装飾部品１０とを備え、装飾部品１０は、傾斜面３ａに環境光を反射させる反射部１１を備え、反射部１１は、文字、図形又は模様を表す形状に形成されている。反射部１１により、傾斜面３ａには文字等の形状として反射光が映し出される。傾斜面３ａに映し出された反射光の形状は、太陽光Ｌとの角度によって、例えば斜体字になるなど変化する。【選択図】図２
2018154308.tif 000002
【特許請求の範囲】
【請求項１】
車両の前方、側方又は後方に面した外表面と、
前記外表面に交差して上方に面した取付部と、
前記取付部に設けられた装飾部品とを備え、
前記装飾部品は、前記外表面に環境光を反射させる反射部を備え、
前記反射部は、文字、図形又は模様を表す形状に形成されている
ことを特徴とする車体構造。
【請求項２】
請求項１に記載の車体構造において、
前記外表面は、テールゲートの表面であり、
前記取付部は、リアバンパーの上部である
ことを特徴とする車体構造。
【請求項３】
請求項１又は請求項２に記載の車体構造において、
前記装飾部品は、金属材料から形成され、
前記反射部は、前記装飾部品の表面を文字、図形又は模様を表す形状に鏡面加工された一部である
ことを特徴とする車体構造。
【請求項４】
請求項１から請求項３の何れか一項に記載の車体構造において、
前記装飾部品に取り付けられるマスク部材を備え、
前記マスク部材には、文字、図形又は模様を表す開口形状の貫通孔が設けられ、
前記反射部は、前記貫通孔から露出した前記装飾部品の一部である
ことを特徴とする車体構造。
【請求項５】
請求項１から請求項４の何れか一項に記載の車体構造において、
前記反射部は、環境光の特定波長を吸収する
ことを特徴とする車体構造。
【請求項６】
車両用の装飾部品であって、
環境光を反射する反射部を備え、
前記反射部は、文字、図形又は模様を表す形状に形成されている
ことを特徴とする車両用の装飾部品。
【発明の詳細な説明】
【技術分野】
【０００１】
本発明は、車両の外観に装飾を施すことができる車体構造及び車両用の装飾部品に関する。
【背景技術】
【０００２】
車両の外表面に設けられたエンブレム等などの意匠に対して、意匠性を向上するための様々な工夫がなされている。例えば、文字や図形が設けられたエンブレムと、光源と、反射面とを備え、エンブレムに光源から光を当て、その反射光を反射面に映し、当該反射面に映るエンブレムの像を車外から視認できるようにした技術が知られている（例えば、特許文献１参照）。
【０００３】
しかしながら、エンブレムに光を照射するための光源が必要となるので、装置構成が複雑になってしまう。また、光源は車両に固定されているため、光源に変化を付けることが難しく、反射面に映るエンブレムの像は変化に乏しいものとなる。
【先行技術文献】
【特許文献】
【０００４】
【特許文献１】特開２０１０−０５８５３７号公報
【発明の概要】
【発明が解決しようとする課題】
【０００５】
本発明は、このような事情に鑑みてなされたもので、簡易な構成で車両の外表面に変化に富んだ意匠を表示することができる車体構造及び車両用の装飾部品を提供することを目的とする。
【課題を解決するための手段】
【０００６】
上記課題を解決する本発明の第１の態様は、車両の前方、側方又は後方に面した外表面と、前記外表面に交差して上方に面した取付部と、前記取付部に設けられた装飾部品とを備え、前記装飾部品は、前記外表面に環境光を反射させる反射部を備え、前記反射部は、文字、図形又は模様を表す形状に形成されていることを特徴とする車体構造にある。
【０００７】
第１の態様では、環境光を反射させて文字など様々な形状の意匠を装飾として車両の外表面に表示することができる。また、環境光を用いるので、意匠を表示するための特別な光源装置が不要である。さらに、車両と環境光との位置関係や時刻などによって意匠は様々に変化するので、変化に富んだ意匠を装飾として車両の外表面に映し出すことができる。
【０００８】
本発明の第２の態様は、第１の態様に記載の車体構造において、前記外表面は、テールゲートの表面であり、前記取付部は、リアバンパーの上部であることを特徴とする車体構造にある。
【０００９】
第２の態様では、車両よりも上方から照射される環境光を受光しやすくなり、より確実に環境光を外表面に意匠として反射させることができる。さらに、意匠を映し出す装飾部材が視認できないにも関わらず、後方から車両の外表面の意匠を視認できるので、斬新な印象を与えることができる。
【００１０】
本発明の第３の態様は、第１又は第２の態様に記載の車体構造において、前記装飾部品は、金属材料から形成され、前記反射部は、前記装飾部品の表面を文字、図形又は模様を表す形状に鏡面加工された一部であることを特徴とする車体構造にある。
第３の態様では、簡易な加工で反射部を形成することができる。
【００１１】
本発明の第４の態様は、第１から第３の何れか一つの態様に記載の車体構造において、前記装飾部品に取り付けられるマスク部材を備え、前記マスク部材には、文字、図形又は模様を表す開口形状の貫通孔が設けられ、前記反射部は、前記貫通孔から露出した前記装飾部品の一部であることを特徴とする車体構造にある。
第４の態様では、マスク部材の取り替えにより様々な形状の意匠を装飾として車両の外表面に映し出すことができる。
【００１２】
本発明の第５の態様は、第１から第４の何れか一つの態様に記載の車体構造において、前記反射部は、環境光の特定波長を吸収することを特徴とする車体構造にある。
第５の態様では、様々な色のついた意匠を車両の外表面に映し出すことができる。
【００１３】
本発明の第６の態様は、車両用の装飾部品であって、環境光を反射する反射部を備え、前記反射部は、文字、図形又は模様を表す形状に形成されていることを特徴とする車両用の装飾部品にある。
【００１４】
第６の態様では、環境光を反射させて文字など様々な形状の意匠を装飾として車両の外表面に表示することができる。また、環境光を用いるので、意匠を表示するための特別な光源装置が不要である。さらに、車両と環境光との位置関係や時刻などによって意匠は様々に変化するので、変化に富んだ意匠を装飾として車両の外表面に映し出すことができる。
【発明の効果】
【００１５】
本発明によれば、簡易な構成で車両の外表面に変化に富んだ意匠を表示することができる車体構造及び車両用の装飾部品が提供される。
【図面の簡単な説明】
【００１６】
【図１】車体構造の斜視図である。
【図２】車体構造の断面図である。
【図３】車体構造の要部平面図である。
【図４】装飾部品の平面図である。
【図５】図４のＡ−Ａ線断面図である。
【発明を実施するための形態】
【００１７】
以下、本発明を実施するための形態について説明する。なお、実施形態の説明は例示であり、本発明は以下の説明に限定されない。
〈実施形態１〉
図１は車体構造の斜視図であり、図２は車体構造の断面図であり、図３は車体構造の要部（車両用の装飾部品）の平面図である。車両の前後方向をＸ方向とし、車幅方向をＹ方向とし、高さ方向をＺ方向とする。
【００１８】
図１に示すように、本実施形態の車体構造の一例である車両１は、後方に向かって開口する開口部を開閉する扉であるテールゲート２を備えている。テールゲート２は、金属製のパネルで形成されるゲート本体３を備えている。ゲート本体３の上部にはガラス製のリアウィンドウ４が装着されている。テールゲート２は、車両１の上方側の端部、すなわちリアウィンドウ４の上縁部が図示しないヒンジ部材によって車体に連結され、ヒンジ部材を支点として車両１の後方側に向かって上下方向で回転する。
【００１９】
ゲート本体３は、ゲート本体３の下部が傾斜した傾斜面３ａを有している。テールゲート２の傾斜面３ａは、請求項に記載する車両１の後方に面した外表面に該当する。また、車両１には、リアバンパー５が取り付けられており、リアバンパー５は、傾斜面３ａに交差して上方に面した取付部５ａを有する。取付部５ａが上方に面しているとは、上面が略水平である部分をいう。取付部５ａが傾斜面３ａに交差するとは、図２に示すような断面視（又は側面視）において、取付部５ａの表面と傾斜面３ａが交差していることをいう。
【００２０】
車両用の装飾部品１０は、リアバンパー５の取付部５ａに取り付けられている。なお、本実施形態の装飾部品１０は、リアバンパー５の取付部５ａを保護する、いわゆるリアバンパープレートとしての機能も兼ねている。
【００２１】
装飾部品１０は、金属材料から平板状であり、一方向に長尺となるように形成されている。このような装飾部品１０は、車幅方向に沿ってリアバンパー５の取付部５ａに固定されている。
【００２２】
装飾部品１０は、一方面に反射部１１を備えている。反射部１１とは、装飾部品１０の表面のうち環境光を反射する部分であって、平面視で文字、図形又は模様の形状を有する部分をいう。換言すれば、反射部１１は、装飾部品１０のうち相対的に反射率が高い部分であり、反射部１１以外の部分（以後、低反射部１２という）は、反射部１１よりも反射率が低い部分である。反射部１１は、装飾部品１０とは別部材であってもよいし、装飾部品１０の一部が反射部１１となっていてもよい。
【００２３】
本実施形態では、装飾部品１０の表面全体にクロムめっきが施されている。そして、反射部１１は、クロムめっきの一部を鏡面加工することにより形成されている。このような反射部１１は、鏡面加工されたクロムめっきからなり光を反射しやすい。また、低反射部１２は、装飾部品１０の表面のうち反射部１１以外の表面を、梨地やシボ等の加工やつや消し塗装を行い、又は低光反射材で被覆することにより形成されている。このような低反射部１２は、上記加工等がなされているので、反射率が低い。
【００２４】
図３に示すように、文字を表す反射部１１については、平面視でいわゆる鏡文字とする。同図に示す例では、反射部１１は、平面視で「ＡＢＣ」の鏡文字形状となっている。また、特に図示しないが、図形を表す反射部１１については、意図した図形とは上下左右が対称となる形状とする。模様を表す反射部１１については、反射率の高い部分や低い部分を設けることで模様状の反射部１１を形成する。他に、複数の様々な形状の反射部１１を適宜配置することで全体として模様として見えるように複数の反射部１１を形成する。
【００２５】
環境光とは、自然光又は街灯や他車両のヘッドライトなど車両１には設けられていない光源からの光をいう。装飾部品１０に入射した環境光、例えば太陽光Ｌ（図２参照）は、反射部１１で強く反射し、低反射部１２ではほとんど反射しない。反射部１１で反射した反射光は、テールゲート２の傾斜面３ａに「ＡＢＣ」という文字形状の意匠２０（図１参照）として現れる。ここでいう意匠とは、車両１に文字等の形状として現れた反射光をいう。
【００２６】
太陽光Ｌは時刻によって反射部１１に入射する角度（太陽光ＬとＸＹ平面のなす角度）が異なり、また、車両１の進行方向によっても角度（ＸＹ平面で見たときの反射部１１に対する太陽光Ｌの角度）は異なる。意匠２０は、太陽光Ｌの角度ごとに異なる位置、形状として傾斜面３ａに映し出される。例えば、文字であれば、通常の書体であったり、斜体になって表示される。また、太陽光Ｌの強度が変われば、意匠２０の濃淡も変化する。このように、車両１と太陽光Ｌとの位置関係や時刻等の要因によって、意匠２０は様々に変化する。
【００２７】
以上に説明したように、本実施形態に係る装飾部品１０によれば、環境光を反射させて文字など様々な形状の意匠２０を装飾として車両１の外表面に表示することができる。また、環境光を用いるので、意匠２０を表示するための特別な光源装置が不要である。さらに、車両１と環境光との位置関係や時刻などによって意匠２０は様々に変化するので、変化に富んだ意匠２０を装飾として車両１の外表面に映し出すことができる。
【００２８】
また、装飾部品１０は、反射部１１が上方を向くように、リアバンパー５の取付部５ａに設けられている。これにより、車両よりも上方から照射される環境光、特に太陽光Ｌを受光しやすくなり、より確実に傾斜面３ａに意匠２０として環境光を反射させることができる。さらに、装飾部品１０が上記配置となっているので、車両１の後方からは、装飾部品１０をほとんど視認できない。つまり、意匠２０を映し出す装飾部品１０が視認できないにも関わらず、傾斜面３ａに意匠２０を視認できるので、斬新な印象を与えることができる。
【００２９】
反射部１１が光反射材で形成された一例を示したがこれに限定されない。図４は変形例に係る装飾部品の平面図であり、図５は図４のＡ−Ａ線断面図である。
例えば、変形例に係る装飾部品１０Ａは、環境光を受ける一方面にマスク部材１３が設けられている。マスク部材１３は低反射率の材料から形成されている。
【００３０】
このマスク部材１３には、厚さ方向に貫通した貫通孔１４が設けられている。貫通孔１４は、文字、図形又は模様を表すように開口した開口形状を有している。ここでは、「ＡＢＣ」という文字の鏡文字として貫通孔１４が形成されている。
このようなマスク部材１３が取り付けられた装飾部品１０は、貫通孔１４からその一部が露出している。貫通孔１４から露出した装飾部品１０の一部が反射部１１Ａとなっている。
【００３１】
このような装飾部品１０Ａにおいても、環境光が反射部１１Ａによって反射して、傾斜面３ａに「ＡＢＣ」という文字の意匠２０として映し出される。装飾部品１０Ａは、マスク部材１３を取り替えることが可能である。別途に、様々な文字等に対応した貫通孔１４を有するマスク部材１３を用意しておけば、マスク部材１３を取り替えるだけで、様々な意匠２０を車両の外表面に映し出すことができる。
【００３２】
特に図示しないが、装飾部品の表面のうち、文字、図形又は模様を表す形状に鏡面加工した部分を反射部としてもよい。このような装飾部品を備える車両１であっても、上述したような意匠を車両１の外表面に映し出すことができる。また、簡易な加工により装飾部品に反射部を形成することができる。
【００３３】
反射部は、環境光の特定波長を吸収する材料で覆われていてもよい。材料としては公知のフィルムや塗料などを用いることができる。このような反射部を備える装飾部品によれば、赤や青など色が付いた意匠を車両の外表面に映し出すことができる。
【００３４】
反射部は、露出している必要はなく、保護シートなどで覆われていてもよい。この場合、保護シートは環境光に対して透過性を有するものを用いる。ただし、透明な保護シートに限定されない。例えば、環境光を反射して意匠を外表面に表示でき、かつ、人目には保護シートを通して反射部がはっきりとは視認できない程度に不透明であってもよい。このような保護シートを適用した装飾部品では、反射部の反射率が低下しないよう傷などから保護することができる。さらに、装飾部品を一見しても文字などの形状の意匠を映し出すための部品には見えないため、車両１の美観に与える影響を抑えることができる。
【００３５】
〈他の実施形態〉
以上、本発明の一実施形態について説明したが、勿論、本発明は、上述の実施形態に限定されるものではなく、本発明の趣旨から逸脱しない範囲内で、構成の付加、省略、置換、およびその他の変更が可能である。
【００３６】
実施形態１では、車両１は、装飾部品１０がリアバンパー５に取り付けられていたが、このような取付位置に限定されない。車両１の外表面に反射光を反射させることができる位置であれば、車両１の任意の箇所に取り付けることができる。また、装飾部品１０は、リアバンパー５に取り付けられる別部材であるが、このような態様に限定されない。例えば、反射部１１が設けられた車両１の構成部品は、本発明の装飾部品に該当する。
【００３７】
意匠２０を映し出す対象は、テールゲート２の傾斜面３ａに限定されず、車両１の外表面の任意の位置でよい。また、反射部１１は、「ＡＢＣ」という文字の鏡文字であったが、これに限定されず、任意の文字、図形又は模様を用いることができる。
【符号の説明】
【００３８】
１…車両（車体構造）、３ａ…傾斜面（外表面）、５ａ…取付部、１０、１０Ａ…装飾部品、１１、１１Ａ…反射部、１２…低反射部、１３…マスク部材、１４…貫通孔
【図１】
2018154308.tif 000003
【図２】
2018154308.tif 000004
【図３】
2018154308.tif 000005
【図４】
2018154308.tif 000006
【図５】
2018154308.tif 000007